(57)【要約】【課題】建物の壁を貫通する給湯管等の配管をガイドする管ガイドにおいて、結露水や雨水が屋内側へ浸入するのを防止する。【解決手段】管ガイド３における、壁１０に固定される取付部材２１から屋外側へ筒部２２を突出させ、筒部２２の内部を取付部材２１の挿通孔２１ｃと連通させる。挿通孔２１ｃ及び筒部２２に配管２を通す。筒部２２の内周面の底部に堰止部２３を突設する。筒部２２の内周面における堰止部２３より屋外側の部分の底部には、水抜き穴２４を形成する。【選択図】図１
2019049329.tif 000002
【特許請求の範囲】
【請求項１】
建物の壁を貫通する配管をガイドする管ガイドであって、
前記配管を通す挿通孔を有して、前記壁に固定される取付部材と、
前記取付部材から屋外側へ突出され、かつ内部が前記挿通孔と連通して前記配管を通す筒部とを備え、
前記筒部の内周面の底部には堰止部が突設され、
前記筒部の内周面における前記堰止部より屋外側の部分の底部には、水抜き穴が形成されていることを特徴とする管ガイド。
【請求項２】
前記堰止部が、前記筒部の内周面における前記挿通孔との連通端に設けられていることを特徴とする請求項１に記載の管ガイド。
【請求項３】
前記筒部の内周面と前記挿通孔の内周面の少なくとも底部どうしの間に段差が形成され、前記段差が、前記堰止部となっていることを特徴とする請求項１又は２に記載の管ガイド。
【請求項４】
前記挿通孔の内径が、前記筒部の内径より小さいことを特徴とする請求項１〜３の何れか１項に記載の管ガイド。
【請求項５】
前記水抜き穴が、前記堰止部に達していることを特徴とする請求項１〜４の何れか１項に記載の管ガイド。
【請求項６】
前記筒部が、前記取付部材から屋外側へ向かって斜め上へ突出されていることを特徴とする請求項１〜５の何れか１項に記載の管ガイド。
【請求項７】
筒状の軟質材からなる管シール部材を更に備え、
前記管シール部材が、前記筒部に嵌め込まれる環状の装着部と、前記装着部から屋外側へ突出された筒状部とを含み、前記筒状部の先端の筒口部の内径が、前記配管の外径より小径であることを特徴とする請求項１〜６の何れか１項に記載の管ガイド。
【発明の詳細な説明】
【技術分野】
【０００１】
本発明は、建物の外壁などの壁に設けられる管ガイドに関し、特に、壁を貫通する給湯管、給水管、追い焚き管、ガス管などの配管をガイドする管ガイドに関する。
【背景技術】
【０００２】
例えば戸建て住宅や集合住宅などの建物においては、給湯管、給水管、追い焚き管、ガス管などの配管が、外壁を貫通して屋外の給湯器に接続されている（特許文献１等参照）。壁の貫通穴の内周と配管の外周との間の隙間は、コーキング材やシーリング材などの封止材によって封止されている。
【０００３】
貫通穴に管ガイドを設けることも知られている（特許文献２等参照）。特許文献２の管ガイドは、貫通穴を屋外側から覆うカバーと、カバーに設けられた筒部とを有している。筒部は、カバーから屋外側へ向かって斜め上へ突出されている。筒部に配管が通される。
【先行技術文献】
【特許文献】
【０００４】
【特許文献１】特開２００１−１５９１６７号公報
【特許文献２】特開２００３−２５４４７１号公報
【発明の概要】
【発明が解決しようとする課題】
【０００５】
従前の施工方法において、配管を通した後の外壁の貫通穴の隙間を、コーキング材やシーリング材だけで、雨水や結露水が浸入しないように封止し、しかも見映え良く仕上げるのは熟練を要し、容易でない。
特許文献２のような管ガイドを用いる場合、仕上がりのばらつきは小さいものの、筒部と配管との間から雨水や結露水が屋内側へ浸入し得る。特に、配管を通す筒部が屋外側へ向かって上へ傾けられていると、一旦、雨水が筒部内に入り込んだ場合、屋内側へ流れやすい。浸入の程度によっては、壁材などが腐食するおそれがある。
本発明は、かかる事情に鑑み、結露水や雨水が屋内側へ浸入するのを防止できる管ガイドを提供することを目的とする。
【課題を解決するための手段】
【０００６】
前記課題を解決するため、本発明は、建物の壁を貫通する配管をガイドする管ガイドであって、
前記配管を通す挿通孔を有して、前記壁に固定される取付部材と、
前記取付部材から屋外側へ突出され、かつ内部が前記挿通孔と連通して前記配管を通す筒部とを備え、
前記筒部の内周面の底部には堰止部が突設され、
前記筒部の内周面における前記堰止部より屋外側の部分の底部には、水抜き穴が形成されていることを特徴とする。
【０００７】
当該管ガイドの挿通孔及び筒部には、給水管、給湯管、追い焚き管、ガス管などの配管が挿通される。該配管と筒部との間に結露水や雨水などの浸入水が入り込んだときは、堰止部まで流れたところで堰き止めることができる。更に、堰き止めた浸入水を水抜き穴から排出できる。したがって、管ガイドより屋内側の壁材などの部材に浸入水が浸み込むのを防止でき、壁材などの腐食を防止できる。
【０００８】
前記堰止部が、前記筒部の内周面における前記挿通孔との連通端に設けられていることが好ましい。
これによって、結露水や雨水などの浸入水を、筒部と取付部材の境で堰き止めることができ、前記浸入水が、挿通孔ひいては挿通孔より屋内側へ流れ込むのを防止できる。
【０００９】
前記筒部の内周面と前記挿通孔の内周面の少なくとも底部どうしの間に段差が形成され、前記段差が、前記堰止部となっていることが好ましい。
当該管ガイドによれば、結露水や雨水などの浸入水が筒部内に入り込んだとしても、段差において確実に堰き止めることができる。取付部材における挿通孔の周辺部分を、堰止部として用いることができ、別途、専用の堰止部を設ける必要がなく、構造を簡素化できる。
【００１０】
前記挿通孔の内径が、前記筒部の内径より小さいことが好ましい。
これによって、筒部の内周面と挿通孔の内周面との間に環状の段差が形成される。この段差が前記堰止部となり、結露水や雨水などの浸入水を堰き止めることができる。また、取付部材の一部を堰止部として用いることができ、構造を簡素化できる。
【００１１】
前記水抜き穴は、前記堰止部の近くに配置されていることが好ましい。
前記水抜き穴が前記堰止部に達していることが、より好ましい。
これによって、堰止部で堰き止められた浸入水を水抜き穴から確実に排出でき、堰止部の辺りに液溜まりができるのを確実に防止できる。
【００１２】
前記筒部が、前記取付部材から屋外側へ向かって斜め上へ突出されていることが好ましい。
これによって、壁内において、配管を屋外側へ向かって上へ傾くように斜めに通すことができる。したがって、前記貫通穴から屋外に出した配管を、上方の給湯器などへ向けて曲げる際の曲げ度合を緩和できる。或いは、床下などから立ち上げた配管を前記貫通穴へ向けて曲げる際の曲げ度合を緩和できる。
前記筒部が、前記取付部材から屋外側へ向かって斜め上へ突出されている場合、筒部内に入った浸入水は屋内側へ向かって流れ下るために、堰止部及び水抜き穴を設けることが特に有効である。すなわち、流れ下って来た浸入水を堰止部によって確実に堰き止め、水抜き穴から排出できる。
【００１３】
筒状の軟質材からなる管シール部材を更に備え、
前記管シール部材が、前記筒部に嵌め込まれる環状の装着部と、前記装着部から屋外側へ突出された筒状部とを含み、前記筒状部の先端の筒口部の内径が、前記配管の外径より小径であることが好ましい。
これによって、筒口部が配管の外周面に密着される。したがって、雨水や結露水などが、管シール部材と配管との間から管ガイド内に入り込むのを防止できる。万が一、入り込んだとしても、該浸入水を堰止部によって確実に堰き止めて水抜き穴から排出できる。
【発明の効果】
【００１４】
本発明によれば、建物の壁を貫通する給湯管等の配管をガイドする管ガイドにおいて、結露水や雨水が屋内側へ浸入するのを防止することができる。
【図面の簡単な説明】
【００１５】
【図１】図１は、本発明の第１実施形態に係る管ガイドが設けられた建物の外壁の断面図である。
【図２】図２は、前記管ガイドの分解断面図である。
【図３】図３は、前記管ガイドの分解斜視図である。
【図４】図４は、前記管ガイドの管ガイド部材の底面図である。
【図５】図５は、本発明の第２実施形態に係る管ガイドが設けられた建物の外壁の断面図である。
【図６】図６は、前記第２実施形態の管ガイドの分解斜視図である。
【図７】図７（ａ）は、前記第２実施形態の管ガイドの管シール部材の側面図である。図７（ｂ）は、前記管シール部材を屋外側から見た斜視図である。図７（ｃ）は、前記管シール部材を屋内側から見た斜視図である。
【発明を実施するための形態】
【００１６】
以下、本発明の実施形態を図面にしたがって説明する。
＜第１実施形態＞
図１は、建物の外壁１（壁）を示したものである。外壁１は、構造用合板などの壁板材１０（壁本体）やサイディング１２（外装材）を含む。壁板材１０とサイディング１２の間には、通気層１５が形成されている。外壁１には貫通穴１９が形成されている。貫通穴１９は、壁板材１０の穴部分１９ａと、サイディング１２の穴部分１９ｂを含む。
【００１７】
貫通穴１９に配管２が通されている。配管２の種類としては、給湯管、給水管、追い焚き管、ガス管などが挙げられる。給湯管などの外周には断熱材（図示省略）が設けられている。
図示は省略するが、配管２の屋内側（図１において右側）の端部は、浴室、厨房などの給湯設備に接続されている。配管２は、前記給湯設備から床下などを外壁１まで延び、壁板材１０に沿って立上り、貫通穴１９を通ることで外壁１を貫通し、屋外に引き出されている。
配管２における貫通穴部分１９ｂから屋外への出口部分は、上方へ鈍角に曲げられることで、曲がり部分２ｃとなっている。
図１において二点鎖線にて示すように、配管２の屋外側（図１において左側）の端部は、屋外の給湯器６に接続されている。給湯器６は、貫通穴１９より高所におけるサイディング１２の屋外側面に配置されている。
【００１８】
図１に示すように、外壁１には、配管２をガイドする管ガイド３が設けられている。管ガイド３における配管２は、屋外側へ向かって上方へ傾斜されている。
図２及び図３に示すように、管ガイド３は、管ガイド部材２０と、管シール部材３０を備えている。管ガイド部材２０は、取付部材２１と、筒部２２を一体に有している。管ガイド部材２０の材質は、好ましくはアルミ、鉄などの金属であるが、これに限られず、ポリエチレン（ＰＥ）、ポリプロピレン（ＰＰ）などの樹脂であってもよい。
管ガイド部材２０の取付部材２１及び筒部２２は、鋳造や射出成形によって一体成形されるが、これに限られず、別々に成形した後、溶接や溶着によって接合してもよい。
【００１９】
取付部材２１は、例えば横長の長方形（多角形）になっている。取付部材２１には、１又は複数の挿通孔２１ｃが形成されている。図３においては、挿通孔２１ｃの数は、２つであるが、これに限られず、３つ以上であってもよい。１つの取付部材２１に配管２の本数分ないしは種類分の挿通孔２１ｃが形成されていてもよい。
【００２０】
図１及び図３に示すように、取付部材２１は、粘着テープ４（図１）及びビス５（図３）によって壁板材１０の屋外側面（図１において左側面）に固定される。粘着テープ４は、止水性を有していることが好ましい。
挿通孔２１ｃが、穴部分１９ａと連通されている。
穴部分１９ａを経た配管２が、挿通孔２１ｃに通されている。
【００２１】
図２に示すように、取付部材２１における屋内側面（図２において右側面）と、挿通孔２１ｃの内周面とで作る角部には、Ｒ面取り部２１ｅが形成されている。これによって、配管２自体の外周面や断熱材が傷むのが防止されている。
なお、取付部材２１における屋外側面（図２において左側面）と、挿通孔２１ｃの内周面とで作る角部についても、Ｒ面取りしてもよい。
【００２２】
図２及び図３に示すように、取付部材２１における各挿通孔２１ｃと対応する位置には、筒部２２が設けられている。
筒部２２は、円筒状に形成され、取付部材２１から屋外側へ突出されている。しかも、筒部２２は、屋外側へ向かって斜め上へ突出されている。水平面に対する筒部２２の中心軸線Ｌ２２の好適な角度α２２は、配管２の外壁貫通方向や給湯器６の位置などにも依るが、例えばα２２＝５°〜６０°程度である。
筒部２２の先端面（屋外側の面）は、鉛直に向けられている。筒部２２の側面視形状は、平行四辺形になっている。
【００２３】
図２に示すように、筒部２２の内部が、挿通孔２１ｃと連通している。
筒部２２の内径は、挿通孔２１ｃの内径より大きい。このため、筒部２２の内周面と挿通孔２１ｃの内周面との間に環状の段差２１ｄが形成されている。段差２１ｄは、取付部材２１における挿通孔２１ｃの周辺部分によって構成されている。
環状の段差２１ｄの周方向の下側部分が、堰止部２３となっている。言い換えると、筒部２２の内周面における挿通孔２１ｃとの連通端の底部に、堰止部２３が突設されている。
【００２４】
図２及び図４に示すように、筒部２２における堰止部２３より屋外側（図２において左側、図４において上側）の部分の底部には、水抜き穴２４が形成されている。水抜き穴２４は、筒部２２の底部における内周から外周へ貫通している。好ましくは、水抜き穴２４は、堰止部２３の近くに配置されている。より好ましくは、水抜き穴２４の屋内側の端部（図２において右端）は、堰止部２３に達している。
【００２５】
図１に示すように、配管２が、挿通孔２１ｃから筒部２２の内部に通されている。
図２に示すように、筒部２２における先端面（図２において左端面）と内周面とで作る角部には、Ｒ面取り部２２ｅが形成されている。これによって、配管２自体の外周面や断熱材が傷むのが防止されている。
【００２６】
図１に示すように、筒部２２の先端部には管シール部材３０が設けられている。管シール部材３０の材質は、軟質樹脂やゴムなどの軟質材によって構成されている。
図２に示すように、管シール部材３０は、環状の装着部３１と、筒状部３２を含み、全体として概略筒状になっている。装着部３１は、側面視で平行四辺形の斜筒状になっている。装着部３１の中心軸線は、筒部２２の中心軸線Ｌ２２と同軸になるように傾斜されている。
装着部３１の内周面には、１又は複数（図では２つ）の環状のシール突起３１ｃが設けられている。
【００２７】
図２に示すように、装着部３１の屋外側端部（図２において左端部）に筒状部３２が連なっている。筒状部３２は、テーパ部３２ａと、筒口部３２ｂを有している。テーパ部３２ａは、装着部３１から屋外側へ突出されるにしたがって先細になっている。テーパ部３２ａの先端部に、一定直径の筒状の筒口部３２ｂが連なっている。
【００２８】
図２に示すように、筒状部３２は、装着部３１から屋外側（図２において左側）へ向かって斜め上へ突出されている。しかも、筒状部３２の傾きは、装着部３１及び筒部２２の傾きよりも急である。つまり、図１に示すように、筒状部３２の中心軸線Ｌ３２の対水平角度α３２は、装着部３１及び筒部２２の対水平角度α２２より大きい（α３２＞α２２）。
【００２９】
図１及び図２に示すように、テーパ部３２ａにおける装着部３１との連通端（図２において右端）の内径φ３２ａは、配管２の外径φ２より大きい（φ３２ａ＞φ２）。
筒口部３２ｂの内径φ３２ｂは、自然状態においては、配管２の外径φ２より小さい（φ３２ｂ＜φ２）。自然状態とは、筒状部３２に拡径力などの力が働いていない状態を言う。
【００３０】
図１に示すように、管シール部材３０の装着部３１が、筒部２２の外周に嵌め込まれている。シール突起３１ｃが、全周にわたって筒部２２の外周面に密着されている。筒状部３２は、筒部２２よりも屋外側へ突出されている。
【００３１】
図１に示すように、筒部２２を経た配管２が、管シール部材３０の筒状部３２に通されている。筒口部３２ｂは、それより大径の配管２が挿通されることによって拡径変形されている。
【００３２】
筒状部３２は、サイディング１２の貫通穴部分１９ｂに挿し入れられている。管シール部材３０の少なくとも一部が屋外に現れている。
図示は省略するが、貫通穴部分１９ｂの内周面と管シール部材３０との間には、コーキング材やシーリング材などの封止材が充填されている。
【００３３】
配管２は、例えば次のようにして施工される。
外壁１の壁板材１０を構築後、管ガイド部材２０を壁板材１０に設置する。詳しくは、管ガイド部材２０を壁板材１０の屋外側面に宛がうとともに、挿通孔２１ｃを貫通穴部分１９ａと位置合わせする。そして、粘着テープ４及びビス５によって、管ガイド部材２０を壁板材１０に固定する。このとき、粘着テープ４は、四角形の取付部材２１の各辺に沿って真っ直ぐに貼ればよい。したがって、取付部材２１を仮に円形状とした場合と比べて、粘着テープ４の貼り付け作業を容易化できる。また、粘着テープ４によって、管ガイド部材２０と壁板材１０との間の止水性を確保できる。
【００３４】
筒部２２には管シール部材３０を嵌める。このとき、シール突起３１ｃが弾性的に圧縮変形されて筒部２２に密着される。これによって、管シール部材３０と筒部２２との間を液密にシールできる。
【００３５】
続いて、床下から壁材１０に沿って立ち上げた配管２を、屋外側へ向けて曲げて、貫通穴部分１９ａ、挿通孔２１ｃ、筒部２２、筒状部３２の順に通す。
筒部２２及び筒状部３２を屋外側へ向かって上向きに傾斜させておくことで、管ガイド３内における配管２を屋外側へ向かって上へ傾くように斜めに通すことができる。
更に、筒状部３２の傾きを筒部２２の傾きよりも急（α３２＞α２２）にすることよって、配管２を、管ガイド３の内部において更に上向きに曲げたうえで、屋外側に引き出すことができる。
配管２を筒状部３２の筒口部３２ｂに通すと、筒口部３２ｂが、弾性的に拡径変形されて配管２の外周面に密着される。これによって、管シール部材３０と配管２との間を液密にシールできる。
【００３６】
更に、サイディング１２を設置する。該サイディング１２の貫通穴部分１９ｂに、配管２及び管シール部材３０を通す。貫通穴部分１９ｂの内周面と管シール部材３０との間は、コーキング材やシーリング材（図示省略）を充填することによってシールする。
サイディング１２の屋外側面に給湯器６を設置した後、これに配管２を接続する。すなわち、管ガイド３から屋外に引き出した配管２を上方へ曲げて、給湯器６へ向けて延ばす。管ガイド３、ひいてはその内部の配管２が、屋外側へ向かって上へ傾けられているため、管ガイド３から引き出された後の配管２の曲がり部２ｃの曲げ度合（曲率又は曲げ角度）を緩和できる。しかも、α３２＞α２２とすることよって、配管２が、管ガイド３の内部において更に上向きに曲げられているため、曲がり部２ｃの曲げ度合を一層緩和できる。
なお、施工手順は、適宜改変できる。
【００３７】
管ガイド３によれば、前述したように、筒口部３２ｂでのシールによって、雨水や結露水が、管シール部材３０と配管２との間から管ガイド３内に入り込むのを防止できる。
万が一、管ガイド３内に雨水や結露水などが入り込んだとしても、その浸入水を堰止部２３において確実に堰き止めることができる。これによって、浸入水が、挿通孔２１ｃから貫通穴部分１９ａに入り込んで壁板材１０に浸み込むのを防止できる。
堰止部２３で堰き止められた浸入水は、水抜き穴２４から排出できる。これによって、堰止部２３の辺りに水溜りができるのを防止でき、その水が堰止部２３から溢れて壁板材１０などに浸み込むのを確実に防止できる。
しかも、水抜き穴２４が堰止部２３まで達しているため、水溜りができるのを確実に防止でき、確実に排水できる。
特に、管ガイド３は屋内側へ向かっては下向きに傾斜されているために、浸入水が屋内側へ向かって流れようとするが、堰止部２３及び水抜き穴２４を設けることによって、壁板材１０などへの浸入水の流れ込みを確実に防止できる。
この結果、壁板材１０の腐食を防止できる。
取付部材２１の一部を堰止部２３として用いることで、管ガイド３の構造を簡素化できる。
【００３８】
次に、本発明の他の実施形態を説明する。以下の実施形態において既述の形態と重複する構成に関しては、図面に同一符号を付して説明を省略する。
管ガイド部材２０及び管シール部材３０の形状は適宜変更可能である。
＜第２実施形態＞
図５〜図７は、本発明の第２実施形態を示したものである。図５及び図６に示すように、第２実施形態の管ガイド３Ｂにおいては、管ガイド部材２０の筒部２２の環状の屋外側端面が、軸線Ｌ２２に対して直交することで、周方向の下側へ向かうにしたがって屋外側（図５において左側）へ突出している。筒部２２の側面視形状は、台形状になっている。
図７に示すように、管シール部材３０の装着部３１は、直筒形状（環状）になっている。図５に示すように、該装着部３１が、筒部２２と同一軸線上に配置されるように傾斜されて、筒部２２の外周に嵌め込まれている。
【００３９】
本発明は、前記実施形態に限定されるものではなく、その趣旨を逸脱しない範囲において種々の改変をなすことができる。
例えば、筒部２２が、取付部材２１に対して直交し、筒部２２の中心軸線Ｌ２２が、水平（α２２＝０°）に向けられていてもよい。これに合わせて、管シール部材３０の中心軸線が、水平に向けられていてもよい。この場合、配管２が、管ガイド内を水平に挿通される。
さらには、管ガイドが、屋外側へ向かって下方へ傾けられていてもよい。
堰止部は、筒部２２の内周面の周方向の少なくとも底部に設けられていればよく、筒部２２の内周面の上側部や側方部には設けられていなくてもよい。
堰止部が、取付部材２１とは別途に設けられていてもよい。堰止部が、取付部材２１よりも屋外側における筒部２２の内周面の底部から突設されていてもよい。
複数の堰止部が、筒部２２の軸線方向に間隔を置いて設けられていてもよい。
筒部２２の先端部が、サイディング１２の貫通穴部分１９ｂに挿通されて屋外に突出されていてもよい。該突出部分に管シール部材３０を装着するようにしてもよい。
或いは、管シール部材３０の全体がサイディング１２よりも屋内側に引っ込んでいてもよい。
取付部材２１の形状は、長方形（四角形）に限られず、三角形、五角形、六角形、その他の多角形であってもよい。
管ガイド部材２０と管シール部材３０が一体に連なっていてもよい。
管シール部材３０が省略されていてもよい。
【００４０】
本発明は、例えば家屋の給湯用配管設備に適用できる。
【符号の説明】
【００４１】
１          外壁（壁）
２          配管
３，３Ｂ    管ガイド
１９        貫通穴
２１        取付部材
２１ｃ      挿通孔
２１ｄ      段差
２２        筒部
２３        堰止部
２４        水抜き穴
３０        管シール部材
３１        装着部
３２        筒状部
３２ｂ      筒口部
【図１】
2019049329.tif 000003
【図２】
2019049329.tif 000004
【図３】
2019049329.tif 000005
【図４】
2019049329.tif 000006
【図５】
2019049329.tif 000007
【図６】
2019049329.tif 000008
【図７】
2019049329.tif 000009